(57)【特許請求の範囲】
【請求項１】
窓枠と、障子と、前記窓枠に対して前記障子を回転自在に軸支する水平な回転軸と、前記障子の開放状態を維持する規制装置とを備え、
前記規制装置は、風受け部を有したストッパー部材と、前記障子の開放状態で前記ストッパー部材が係合するストッパー受け部材とを備え、
前記ストッパー部材は、前記ストッパー受け部材に対して係合不能な第一回転位置から係合可能な第二回転位置まで回転可能に前記窓枠側に取り付けられ、
前記ストッパー受け部材は、前記障子側に取り付けられ、前記ストッパー部材が前記障子の閉鎖移動に基づいて解除可能に係合する構成とされる
ことを特徴とする横軸回転窓。
【請求項２】
請求項１に記載の横軸回転窓において、
前記ストッパー受け部材は、前記障子に固定される固定部と、前記ストッパー部材が係合する一対の係合受け部と、前記一対の係合受け部と前記ストッパー部材との係合を解除可能に弾性変形する一対の板バネとを有して構成され、
前記固定部は前記一対の板バネに連続し、
前記一対の係合受け部は、前記一対の板バネのそれぞれの先端部に形成され、
前記ストッパー部材は、前記一対の係合受け部間に挿入可能に配置され、
前記一対の板バネは、前記ストッパー部材の回転方向と異なる方向において互いに対向して配置され、かつ、当該異なる方向に弾性変形可能に形成される
ことを特徴とする横軸回転窓。
【請求項３】
請求項２に記載の横軸回転窓において、
前記一対の係合受け部の先端は、前記各係合受け部の幅方向における両端よりも中央部分が窪んで形成される
ことを特徴とする横軸回転窓。
【請求項４】
請求項２または請求項３に記載の横軸回転窓において、
前記ストッパー部材は、前記一対の係合受け部に当接する係合部を有し、
前記一対の係合受け部が対向する方向における前記係合部の幅寸法は、前記係合部の先端から基端に向かうに連れて漸次小さくなるように形成される
ことを特徴とする横軸回転窓。
【請求項５】
請求項２から請求項４のいずれか一項に記載の横軸回転窓において、
前記規制装置は、前記一対の板バネに装着されて弾性変形領域を調整する弾性調整具を備える
ことを特徴とする横軸回転窓。
【請求項６】
請求項１から請求項５のいずれか一項に記載の横軸回転窓において、
前記ストッパー部材および前記ストッパー受け部材の係合位置と前記ストッパー部材の回転軸心とを結ぶ仮想直線は、当該回転軸心に直交する面内において前記係合位置および前記障子の軸支位置を結ぶ仮想直線に直交する
ことを特徴とする横軸回転窓。
【請求項７】
請求項１から請求項６のいずれか一項に記載の横軸回転窓において、
前記ストッパー部材には、前記ストッパー受け部材が前記障子の開放移動に基づいて前記ストッパー部材に接近する場合に、前記ストッパー受け部材に当接して前記ストッパー部材を前記第二回転位置から前記第一回転位置に向かって案内可能に構成される誘込み面が形成される
ことを特徴とする横軸回転窓。
【請求項８】
請求項１から請求項７のいずれか一項に記載の横軸回転窓において、
前記規制装置は、前記ストッパー部材が前記第二回転位置にある状態で、前記第一回転位置から前記第二回転位置に向かう回転方向における前記ストッパー部材の回転を規制可能に前記窓枠側に設けられる規制当接部を有する
ことを特徴とする横軸回転窓。
【請求項９】
請求項１に記載の横軸回転窓において、
前記規制装置は、前記窓枠側に取り付けられるバネ部材を備え、
前記ストッパー受け部材は、前記障子側に回転可能に取り付けられるとともに、前記ストッパー部材が係合する係合受け部が形成され、
前記バネ部材は、前記ストッパー部材および前記係合受け部の係合状態で、前記ストッパー受け部材の回転に基づいて前記ストッパー受け部材に当接して前記ストッパー部材と前記ストッパー受け部材との係合を解除可能に弾性変形する構成とされる
ことを特徴とする横軸回転窓。
【請求項１０】
請求項１から請求項９のいずれか一項に記載の横軸回転窓において、
前記ストッパー部材は、前記窓枠の見込み方向において正向きまたは逆向きに前記窓枠側に取付可能に構成され、
前記ストッパー部材が正向きに取り付けられた状態では、前記ストッパー部材は、前記風受け部が室内側から室外側へ向かう風および室外側から室内側へ向かう風のうちの一方の風を受けて前記第一回転位置から前記第二回転位置まで回転可能に構成され、
前記ストッパー部材が逆向きに取り付けられた状態では、前記ストッパー部材は、前記風受け部が室内側から室外側へ向かう風および室外側から室内側へ向かう風のうちの他方の風を受けて前記第一回転位置から前記第二回転位置まで回転可能に構成される
ことを特徴とする横軸回転窓。
【発明の詳細な説明】
【技術分野】
【０００１】
本発明は、横軸回転窓に関し、特に、障子が風を受けた際の風圧によって障子が自然に開閉して換気を行える横軸回転窓に関する。
【背景技術】
【０００２】
従来、障子が風を受けて自然に開閉して換気が行われる横軸回転窓が知られている（特許文献１参照）。
この横軸回転窓は、窓枠と、障子とを備え、水平な回転軸を当該障子の上下方向の中央位置に配置して当該障子を軸支し、かつ、当該回転軸が障子の閉鎖状態で障子の重心位置に対して見込み方向に所定距離離れた位置に配置される構成とされている。これにより、横軸回転窓は、無風時には、障子は自重に基づいて窓開放位置に配置され、窓開放状態となり、また、障子が風を受けると、障子は閉鎖方向に回転し、窓閉鎖状態となる自然換気窓として構成されている。
【０００３】
この横軸回転窓には、障子を開放状態に維持する規制装置が設けられている。規制装置は、風受け部である補助翼を有したストッパー部材と、ストッパー部材が係合するストッパー受け部材と、ストッパー部材およびストッパー受け部材の係合を維持可能な方向にストッパー受け部材を弾性付勢するコイルバネとによって構成されている。ストッパー部材は、障子の窓枠に対する軸支位置から離間した位置で障子に回転可能に取り付けられており、ストッパー受け部材は、窓枠に回転可能に取り付けられている。
この規制装置では、補助翼で風を受けるストッパー部材が回転してストッパー受け部材と係合することで、障子の開放状態を維持する。また、風が所定風速以上になると、障子の閉鎖移動力が大きくなり、当該閉鎖移動力によってコイルバネの弾性付勢力に抗してストッパー受け部材が移動され、前記係合を解除する。
【先行技術文献】
【特許文献】
【０００４】
【特許文献１】特開２０１５−２１２５５号公報
【発明の概要】
【発明が解決しようとする課題】
【０００５】
ところで、特許文献１に記載の横軸回転窓では、ストッパー部材が障子に取り付けられているため、ストッパー部材の全体位置は障子の回転角度に依存して変化することとなる。このため、ストッパー部材の回転軸心を特定位置に定め難く、障子の回転に伴って補助翼の高さ位置や室内側位置が変わってしまい、規制装置の動作を安定させることが困難である。
【０００６】
本発明の目的は、規制装置の動作を安定させることができる横軸回転窓を提供することにある。
【課題を解決するための手段】
【０００７】
本発明の横軸回転窓は、窓枠と、障子と、前記窓枠に対して前記障子を回転自在に軸支する水平な回転軸と、前記障子の開放状態を維持する規制装置とを備え、前記規制装置は、風受け部を有したストッパー部材と、前記障子の開放状態で前記ストッパー部材が係合するストッパー受け部材とを備え、前記ストッパー部材は、前記ストッパー受け部材に対して係合不能な第一回転位置から係合可能な第二回転位置まで回転可能に前記窓枠側に取り付けられ、前記ストッパー受け部材は、前記障子側に取り付けられ、前記ストッパー部材が前記障子の閉鎖移動に基づいて解除可能に係合する構成とされることを特徴とする。
【０００８】
本発明の横軸回転窓によれば、ストッパー部材が窓枠側に回転可能に取り付けられるため、ストッパー部材の位置が障子の回転角度に依存して変化することがなくなる。このため、障子が風を受けて回転しても、当該回転の影響を受けることなく風受け部の位置を定めることができるため、規制装置の動作を安定させることができる。
【０００９】
本発明の横軸回転窓では、前記ストッパー受け部材は、前記障子に固定される固定部と、前記ストッパー部材が係合する一対の係合受け部と、前記一対の係合受け部と前記ストッパー部材との係合を解除可能に弾性変形する一対の板バネとを有して構成され、前記固定部は前記一対の板バネに連続し、前記一対の係合受け部は、前記一対の板バネのそれぞれの先端部に形成され、前記ストッパー部材は、前記一対の係合受け部間に挿入可能に配置され、前記一対の板バネは、前記ストッパー部材の回転方向と異なる方向において互いに対向して配置され、かつ、当該異なる方向に弾性変形可能に形成されることが好ましい。
このような構成によれば、障子の閉鎖移動に基づいてストッパー部材とストッパー受け部材との係合が解除される際には、ストッパー部材が一対の係合受け部間から抜け出されようとする。このとき、一対の板バネは、ストッパー部材によって押し広げられながら弾性変形するが、この弾性変形する方向はストッパー部材の回転方向とは異なる方向であるので、慣性力が働く方向はストッパー部材とストッパー受け部材との係合位置からストッパー部材の回転軸心に向かう方向となる。このため、ストッパー部材とストッパー受け部材との係合解除時に、前述した慣性力によってストッパー部材がバタつくことを抑制できる。
【００１０】
本発明の横軸回転窓では、前記一対の係合受け部の先端は、前記各係合受け部の幅方向における両端よりも中央部分が窪んで形成されることが好ましい。
このような構成によれば、ストッパー部材とストッパー受け部材との係合が解除される際に、ストッパー部材の先端が一対の係合受け部間から抜け出て当該一対の係合受け部の先端にそれぞれ当接すると、ストッパー部材は一対の板バネの弾性力に基づいて一対の係合受け部の先端に沿って当該係合受け部の幅方向に摺動され、一対の係合受け部の先端の幅方向における中央部分に配置される。このように、ストッパー部材とストッパー受け部材との係合位置を、各係合受け部の幅方向における中央部分に補正でき、係合解除動作を安定させることができる。
【００１１】
本発明の横軸回転窓では、前記ストッパー部材は、前記一対の係合受け部に当接する係合部を有し、前記一対の係合受け部が対向する方向における前記係合部の幅寸法は、前記係合部の先端から基端に向かうに連れて漸次小さくなるように形成されることが好ましい。
このような構成によれば、係合部が一対の係合受け部間から抜け出る際に、一対の係合受け部は一対の板バネの復元力によって互いに接近移動しようとする。このとき、一対の係合受け部の両先端が係合部の両側縁に沿って摺動しながら互いに徐々に接近移動する。このため、一対の係合受け部が一対の板バネの弾性力によって急に接近移動して発音すること抑制し、また、係合部と係合受け部との係合解除のときにストッパー受け部材に不要な振動を生じさせることがない。
【００１２】
本発明の横軸回転窓では、前記規制装置は、前記一対の板バネに装着されて弾性変形領域を調整する弾性調整具を備えることが好ましい。
このような構成によれば、規制装置の設置後であっても、弾性調整具の着脱や装着位置を変えることで、一対の板バネの弾性力の強弱を適切に調整できる。
【００１３】
本発明の横軸回転窓では、前記ストッパー部材および前記ストッパー受け部材の係合位置と前記ストッパー部材の回転軸心とを結ぶ仮想直線は、当該回転軸心に直交する面内において前記係合位置および前記障子の軸支位置を結ぶ仮想直線に直交することが好ましい。
このような構成によれば、ストッパー部材およびストッパー受け部材間の引張力が働く方向と障子の回転軌跡に対する接線とを平行にでき、障子の閉鎖移動力を規制装置に効率よく伝達できる。
【００１４】
本発明の横軸回転窓では、前記ストッパー部材には、前記ストッパー受け部材が前記障子の開放移動に基づいて前記ストッパー部材に接近する場合に、前記ストッパー受け部材に当接して前記ストッパー部材を前記第二回転位置から前記第一回転位置に向かって案内可能に構成される誘込み面が形成されることが好ましい。
このような構成によれば、障子が強風を受けて大きな閉鎖移動力を生じ、ストッパー部材とストッパー受け部材との係合状態が解除された場合であっても、風が弱まって障子が再び開放移動した際にストッパー部材を誘込み面によって第二回転位置から第一回転位置に向かって案内することで、障子のさらなる開放移動時に前述した係合状態を復帰できる。このように係合状態の解除から再び係合状態の復帰までの動作を自動化できる。
【００１５】
本発明の横軸回転窓では、前記規制装置は、前記ストッパー部材が前記第二回転位置にある状態で、前記第一回転位置から前記第二回転位置に向かう回転方向における前記ストッパー部材の回転を規制可能に前記窓枠側に設けられる規制当接部を有することが好ましい。
このような構成によれば、障子の開放状態を維持するために必要のない領域（第一回転位置および第二回転位置間を外れる領域）でのストッパー部材の過剰な回転を規制当接部によって抑制できる。
【００１６】
本発明の横軸回転窓では、前記規制装置は、前記窓枠側に取り付けられるバネ部材を備え、前記ストッパー受け部材は、前記障子側に回転可能に取り付けられるとともに、前記ストッパー部材が係合する係合受け部が形成され、前記バネ部材は、前記ストッパー部材および前記係合受け部の係合状態で、前記ストッパー受け部材の回転に基づいて前記ストッパー受け部材に当接して前記ストッパー部材と前記ストッパー受け部材との係合を解除可能に弾性変形する構成とされることが好ましい。
このような構成によれば、ストッパー部材が風を受けて係合受け部に係合した係合状態で、障子が風を受けて閉鎖移動すると、ストッパー受け部材は回転し、バネ部材を押し付ける。この押付力が大きくなるにつれ、バネ部材の弾性変形は大きくなり、ストッパー受け部材がさらに回転することで、前述した係合状態を解除できる。
また、前述した係合状態において障子の閉鎖移動力が大きくなっても、ストッパー受け部材のバネ部材に対する押付力が大きくなるだけであって、ストッパー部材と係合受け部との係合部分の負担が大きくならず、係合状態を安定させることができる。
さらに、前述した係合状態が解除された係合解除状態で、風が弱まって障子が開放移動した際には、ストッパー受け部材は元の係合可能な位置に戻り、ストッパー部材が風を受けて係合受け部に再び係合可能な状態に自動的に復帰できる。
【００１７】
本発明の横軸回転窓では、前記ストッパー部材は、前記窓枠の見込み方向において正向きまたは逆向きに前記窓枠側に取付可能に構成され、前記ストッパー部材が正向きに取り付けられた状態では、前記ストッパー部材は、前記風受け部が室内側から室外側へ向かう風および室外側から室内側へ向かう風のうちの一方の風を受けて前記第一回転位置から前記第二回転位置まで回転可能に構成され、前記ストッパー部材が逆向きに取り付けられた状態では、前記ストッパー部材は、前記風受け部が室内側から室外側へ向かう風および室外側から室内側へ向かう風のうちの他方の風を受けて前記第一回転位置から前記第二回転位置まで回転可能に構成されることが好ましい。
このような構成によれば、ストッパー部材を室内側から室外側へ向かう風を受けて係合受け部に係合可能な向きに設置して排気タイプの横軸回転窓を構成することや、ストッパー部材を室外側から室内側へ向かう風を受けて係合受け部に係合可能な向きに設置して給気タイプの横軸回転窓を構成することができる。これにより、排気タイプの横軸回転窓と給気タイプの横軸回転窓との間で規制装置の各構成部材を共通化できる。
【発明の効果】
【００１８】
本発明によれば、規制装置の動作を安定させることができる横軸回転窓を提供できる。
【図面の簡単な説明】
【００１９】
【図１】本発明の第１実施形態に係る横軸回転窓（排気タイプ）を示す内観姿図。
【図２】図１に示すＩＩ−ＩＩ線に沿った横断面図。
【図３】図１に示すＩＩＩ−ＩＩＩ線に沿った横断面図。
【図４】図１に示すＩＶ−ＩＶ線に沿った縦断面図。
【図５】第１実施形態に係る横軸回転窓（排気タイプ）の要部を示す分解斜視図。
【図６】第１実施形態に係る横軸回転窓（排気タイプ）の窓開放状態を示す縦断面図。
【図７】第１実施形態に係る横軸回転窓（排気タイプ）の微風時を示す縦断面図。
【図８】第１実施形態に係る横軸回転窓（排気タイプ）の弱〜中風時を示す縦断面図。
【図９】第１実施形態に係る横軸回転窓（排気タイプ）の強風時を示す縦断面図。
【図１０】第１実施形態に係る横軸回転窓（排気タイプ）の復帰動作を示す縦断面図。
【図１１】第１実施形態に係る横軸回転窓（給気タイプ）を示す縦断面図。
【図１２】第１実施形態に係る横軸回転窓（給気タイプ）の窓開放状態を示す縦断面図。
【図１３】第１実施形態に係る横軸回転窓（給気タイプ）の微風時を示す縦断面図。
【図１４】第１実施形態に係る横軸回転窓（給気タイプ）の弱〜中風時を示す縦断面図。
【図１５】第１実施形態に係る横軸回転窓（給気タイプ）の強風時を示す縦断面図。
【図１６】第１実施形態に係る横軸回転窓（給気タイプ）の復帰動作を示す縦断面図。
【図１７】第１実施形態に係る横軸回転窓のストッパー受け部材および弾性調整具を示す斜視図。
【図１８】本発明の第２実施形態に係る横軸回転窓（排気タイプ）の窓開放状態を示す縦断面図。
【図１９】第２実施形態に係る横軸回転窓（排気タイプ）の要部を示す横断面図。
【図２０】第２実施形態に係る横軸回転窓（排気タイプ）の強風時を示す縦断面図。
【図２１】第２実施形態に係る横軸回転窓（排気タイプ）の窓閉鎖状態を示す縦断面図。
【図２２】第２実施形態に係る横軸回転窓（給気タイプ）の窓開放状態を示す縦断面図。
【図２３】第２実施形態に係る横軸回転窓（給気タイプ）の窓閉鎖状態を示す縦断面図。
【発明を実施するための形態】
【００２０】
［第１実施形態］
以下、本発明の第１実施形態を図面に基づいて説明する。
図１〜４において、第１実施形態は、２つの横軸回転窓２を左右に配置して構成される連窓１である。
連窓１は、左右の縦枠３，４と、縦枠３，４の上端間および下端間を連結する上枠５、下枠６と、連窓１の左右方向の中間位置で上枠５、下枠６間に配置された方立７とを備える。左右の縦枠３，４、上枠５、下枠６および方立７は、アルミ押出し形材によってそれぞれ形成されている。
従って、室外側から見て左側の縦枠３と、上枠５および下枠６と、方立７（縦枠）とで、左側の横軸回転窓２の窓枠１０が構成される。また、室外側から見て右側の縦枠４と、上枠５および下枠６と、方立７（縦枠）とで、右側の横軸回転窓２の窓枠１０が構成される。
【００２１】
各窓枠１０には、各横軸回転窓２の障子２０がヒンジ３０を介して回転自在に軸支されている。
各障子２０は、同一構造の障子であり、左右の縦框２１，２２と、上框２３と、下框２４を枠組みし、その内部にガラスパネル２５を組み込んで構成されている。
本実施形態の障子２０は、開放時に下端側が室外側に移動し、上端側が室内側に移動するように構成されている。
【００２２】
また、連窓１の左右の縦枠３，４には、各障子２０が開放移動した際に、各障子２０が当接する戸当り部材８が取り付けられている。このため、障子２０は、開放方向に回転した場合、前記戸当り部材８に当接する位置までしか回転しない。
さらに、図５に示すように、連窓１には、弱風〜中風時において各障子２０の開放状態を維持する規制装置４０が設けられている。
【００２３】
ヒンジ３０は、窓枠１０に対して障子２０を回転自在に軸支する水平な回転軸として構成されており、障子２０の左右にそれぞれ配置される。すなわち、図２に示すように縦枠３と縦框２１との間、縦框２２と方立７との間、方立７と縦框２１との間、縦框２２と縦枠４との間にそれぞれ配置される。
ヒンジ３０の室外側はヒンジカバー１３によって覆われている。ヒンジ３０の室内側は水密部材１４によって覆われている。
【００２４】
各ヒンジ３０の構成は同一である。ヒンジ３０は、軸部材３１と、軸部材３１に回動自在に連結される軸受部材３２とを有して構成されている。軸部材３１は枠側に取り付けられ、軸受部材３２は框側に取り付けられている。これらの取付位置を連窓１の見込み方向に調整することで、各障子２０の軸支位置１１が所定位置に設定される。
【００２５】
ここで、各障子２０の重心位置１２は、各障子２０の高さ方向の中心位置に設定されている。各障子２０の重量の大半は、面材の重量であるため、面材の高さ方向の中心位置が、各障子２０の高さ方向の重心位置１２に一致する。また、軸支位置１１の高さ方向の位置は重心位置１２と同じである。そして、軸支位置１１は、重心位置１２よりも室外側に所定距離離れた位置に設定されている。
このように設定されることで、障子２０には、その自重に基づいて上端側が室内側に移動する方向の回転モーメントが発生し、障子２０は図４に示す閉鎖位置（全閉位置）から図６に示す開放位置（全開位置）に向かって自然に開放移動する。これにより、障子２０は、無風時には全開位置に自動的に回転し、横軸回転窓２を自然換気状態にする。本実施形態では、全開位置にある障子２０の回転角度（障子角度）は４５°である。
また、開放状態にある障子２０が風を受けて当該障子２０を閉鎖方向に回転する回転モーメントが、障子２０をその自重に基づいて開放方向に回転する回転モーメントよりも大きくなった場合には、障子２０は、開放位置から閉鎖位置に向かって閉鎖移動する。
【００２６】
各規制装置４０は、図５に示すように、軸支部材である枠ブラケット４１と、ストッパー部材４２と、ストッパー受け部材４５とを備えて構成されている。
【００２７】
枠ブラケット４１は、断面略コ字状の溝形成部４１１と、溝形成部４１１の一方の縁部に連続した取付片部４１２とを有して構成されている。
溝形成部４１１は、一対の軸支片部４１３と、連結片部４１４とを有して構成されている。一対の軸支片部４１３には回転軸４９（ピン）が掛け渡されている。
また、一対の軸支片部４１３には、ストッパー部材４２が後述する第二回転位置（図７等参照）から図７に示すＲ１方向にさらに回転することを規制する規制当接部４１３Ａが形成されている。規制当接部４１３Ａは、ストッパー部材４２が第二回転位置に配置された際に後述する補助翼４４の上部に当接可能な切欠部によって形成されている。
連結片部４１４は、一対の軸支片部４１３を連結している。連結片部４１４には、無風時にストッパー部材４２の後述する被軸支部４３４が当接する。この当接によって当該ストッパー部材４２の図６に示すＲ２方向の回転が規制される。取付片部４１２は、縦枠３，４の室内見付け片部にアングル１５を介して固定されている。
【００２８】
ストッパー部材４２は、ストッパー本体４３と、風受け部である補助翼４４とを備えて構成されている。補助翼４４はアクリル樹脂等によって板状に形成されている。
ストッパー本体４３は、本体片部４３１と、連結部４３３と、被軸支部４３４とを有して構成されている。本体片部４３１は、被軸支部４３４よりも上方に延出して形成されている。連結部４３３は、図４に示すように、本体片部４３１の下部に連続して形成されており、補助翼４４がビス止めされている。被軸支部４３４には、軸受部が形成されており、この軸受部に回転軸４９が挿通されることで当該回転軸４９に回転自在に軸支される。
本体片部４３１は、連結部４３３に連結される補助翼４４に対して傾斜している。本体片部４３１は、上端が鋭角に折曲されて形成された鉤状の係合部４３２を有している。係合部４３２の上面は、ストッパー受け部材４５に当接可能な誘込み面４３２Ａとして構成されている。一対の係合受け部４８が対向する方向における係合部４３２の幅寸法（回転軸心５１に沿った方向における寸法）は、その先端４３２Ｂから基端４３２Ｃに向かうにつれて漸次小さくなるように形成されている。
【００２９】
図６に示すように、無風時には、ストッパー部材４２は、ストッパー受け部材４５と係合不能な第一回転位置（静止位置）に配置され、静止する。第一回転位置では、ストッパー部材４２の重心５０は、当該ストッパー部材４２の回転軸心５１に対して真下に位置する。この状態では、補助翼４４は鉛直方向に沿って配置されるが、本体片部４３１は、鉛直方向に対して傾斜して配置される。このため、係合部４３２は、重心５０および回転軸心５１を通る仮想直線５２（鉛直線）上から室外側に外れ、後述する係合受け部４８の回転軌跡からも外れた位置に配置されることとなる。
また、ストッパー部材４２が第一回転位置からＲ１方向に回転すると、ストッパー受け部材４５と係合可能な第二回転位置（図７参照）に配置される。第二回転位置では、ストッパー部材４２の重心５０は、回転軸心５１よりも室外側に位置し、補助翼は鉛直方向に対して室外側に傾斜して配置され、本体片部４３１は、鉛直方向に沿って配置される。このため、係合部４３２は、仮想直線５２上であって係合受け部４８の回転軌跡上に配置されることとなる。
【００３０】
なお、重心５０と回転軸心５１との距離を調整することでストッパー部材４２の回転に必要なモーメントを設定でき、例えば、重心５０と回転軸心５１との距離を短く調整していくことで、ストッパー部材４２の回転に必要なモーメントを小さくでき、微風で回転を生じやすくできる。また、ストッパー部材４２の全体重量を軽くすることでも、ストッパー部材４２の回転に必要なモーメントを小さくできる。
【００３１】
ストッパー受け部材４５は、図５に示すように、板状の固定部４６と、バネ部４７と、係合受け部４８とを有して構成されている。
【００３２】
固定部４６は、図２に示すように、縦枠３に対向する縦框２１の室内見付け片部および縦枠４に対向する縦框２２の室内見付け片部にそれぞれビス止めされている。固定部４６は、障子２０の軸支位置１１よりも上方に配置されている。
【００３３】
バネ部４７は、固定部４６に連続する一対の板バネ４７１によって形成されている。
一対の板バネ４７１は、回転軸心５１と平行な方向において間隔を隔てて互いに対向して配置されており、固定部４６に対して傾斜角度４０°で傾斜して室内側に延びて形成されている。
一対の板バネ４７１の先端部は、互いに接近する向きに折曲されており、当該折曲された部分によって一対の係合受け部４８が形成されている。一対の係合受け部４８の先端４８１は、係合受け部４８の幅方向における両端よりも中央部分が窪んだＶ字形状に形成されている。
バネ部４７の弾性力は、障子２０が受ける風の風速が１０ｍ／Ｓ超の強風となる際に係合部４３２と係合受け部４８との係合が解除される程度の弾性力に設定される。なお、このように弾性力が設定されたバネ部４７によって維持される係合部４３２と係合受け部４８との係合は、障子２０のオペレータ操作によっても解除可能である。
【００３４】
前述した規制装置４０では、ストッパー部材４２は、補助翼４４が室内側から室外側へ向かう風を受けて第一回転位置から第二回転位置へ回転可能に正向きに設けられている。このように構成された規制装置４０を備える横軸回転窓２は、障子２０が室内側から室外側へ向かう風を受けた際に当該障子２０の開放状態を維持する排気タイプとして構成される。
ここで、規制装置４０では、図１１に示すように、ストッパー部材４２を窓枠１０の見込み方向において逆向きに枠ブラケット４１に回転軸４９を介して取付可能である。このようにストッパー部材４２を逆向きに取り付けた場合には、ストッパー部材４２は、補助翼４４が室外側から室内側へ向かう風を受けてストッパー受け部材４５と係合不能な第一回転位置からストッパー受け部材４５と係合可能な第二回転位置へ回転可能に設けられている。このように構成された規制装置４０を備える横軸回転窓２は、障子２０が室外側から室内側へ向かう風を受けた際に当該障子２０の開放状態を維持する給気タイプとして構成される。
【００３５】
［第１実施形態の動作１］
以下、排気タイプとして構成した第１実施形態に係る連窓１の動作について説明する。
【００３６】
［正圧時の動作］
先ず、無風時には、障子２０は障子角度４５°となる図６に示す全開位置（静止位置）で静止し、横軸回転窓２は全開状態となる。そして、室外側から室内側に向かって図６に示す風Ｗ１が吹いた場合、風上側に位置する障子２０の軸支位置１１よりも下側の部分に室外側から室内側に向かう正圧が加わる。このため、障子２０は下半分が室内側に向かって押され、閉鎖方向に回転（閉鎖移動）する。
このとき、ストッパー部材４２の補助翼４４にも室外側から室内側へ向かう風（正圧）があたり、ストッパー部材４２にＲ２方向の回転力が加わるが、ストッパー部材４２の被軸支部４３４が枠ブラケット４１の連結片部４１４に当接することで、ストッパー部材４２が第一回転位置からさらにＲ２方向に回転することは規制される。
このため、障子２０は下半分が室内側に向かって押され、規制装置４０によって規制されることなく閉鎖移動する。この障子２０に加わる正圧は、風速が高くなるほど大きくなるため、風速が次第に高くなると、障子２０の開放角度は次第に小さくなり、障子２０は図４に示すように完全に閉鎖する。
【００３７】
［負圧時の動作］
横軸回転窓２の障子２０が全開状態の静止位置にあるときに、室内側から室外側に向かって図７に示す風Ｗ２が吹いた場合、風上側に位置する障子２０の軸支位置１１よりも上側の部分に、室内側から室外側に向かう負圧が加わる。
このとき、ストッパー部材４２の補助翼４４にも室内側から室外側へ向かう風（負圧）があたり、ストッパー部材４２にＲ１方向の回転力が加わる。ストッパー部材４２は、風速１〜２ｍ／Ｓの微風で第一回転位置から第二回転位置までＲ１方向に回転し、係合部４３２が室外側から一対の板バネ４７１間に挿入される。第二回転位置では、ストッパー部材４２は、規制当接部４１３Ａに当接し、Ｒ１方向の回転が規制される。
なお、障子２０は、風Ｗ２が微風である場合には、当該風Ｗ２に基づく閉鎖移動力よりも自重に基づく開放移動力が上回っており、障子２０は閉鎖移動しない。
【００３８】
風Ｗ２が前述した微風から風速２ｍ／Ｓ超の弱風まで高くなると、障子２０は上半分が室外側に向かって押され、閉鎖移動する。この閉鎖移動によって障子角度が４０°まで小さくなると、図８に示すように、一対の係合受け部４８間に係合部４３２が挿入され、当該一対の係合受け部４８の各傾斜面に係合部４３２の先端４３２Ｂが当接して、当該係合部４３２および係合受け部４８が係合する。これにより、規制装置４０によって障子２０の閉鎖移動を規制した状態となり、障子２０の開放状態を風速１０ｍ／Ｓ超の強風となるまで維持する。
ここで、図８に示す係合状態では、ストッパー受け部材４５のバネ部４７は、鉛直方向に沿って延びた状態となる。また、係合部４３２と係合受け部４８との係合位置５４は、ストッパー部材４２の回転軸心５１を通る仮想直線５２（鉛直線）上に位置する。さらに、仮想直線５２は、回転軸心５１に直交する面内において係合位置５４および障子２０の軸支位置１１を結ぶ仮想直線５３に直交している。このため、仮想直線５２は、仮想直線５３と障子２０の回転軌跡とが交わる点を接点とした接線２９に対して平行に配置される。
【００３９】
風Ｗ２が前述した弱風から風速１０ｍ／Ｓ以下の中風まで高まるに連れ、障子２０に加わる閉鎖移動力は大きくなり、係合部４３２および係合受け部４８間の鉛直方向における引張力も大きくなる。この引張力によって、一対の板バネ４７１はストッパー部材４２の回転軸心５１と平行な方向において互いに離間する方向に弾性変形される。一対の板バネ４７１は、前述した引張力が大きくなるにつれて大きく弾性変形するが、風Ｗ２が中風以下では係合部４３２と係合受け部４８との係合状態は維持される。
【００４０】
風Ｗ２が前述した中風から風速１０ｍ／Ｓ超の強風まで高くなると、障子２０に加わる閉鎖移動力はさらに大きくなり、係合部４３２および係合受け部４８間の引張力もさらに大きくなる。この大きな引張力によって、一対の板バネ４７１は弾性変形によってさらに互いに離間し、一対の係合受け部４８間は開かれることで、係合部４３２は係合受け部４８から抜け出して当該係合部４３２と係合受け部４８との係合状態は図９に示すように解除される。
係合解除に関し、係合部４３２の先端４３２Ｂが一対の係合受け部４８間から抜け出て、係合部４３２の両側縁が一対の係合受け部４８のＶ字形状の先端４８１にそれぞれ当接すると、係合部４３２はバネ部４７の弾性力に基づいて係合受け部４８の両先端４８１に沿って摺動され、係合受け部４８の両先端４８１の幅方向における中央部分に配置される。このように、係合位置５４は、係合受け部４８の幅方向における中央部分に補正される。これにより、例えば係合部４３２が係合受け部４８に対して浅い位置に当接した場合でも、前述した中央部分に位置補正でき、係合状態が係合解除に必要な風速以下で解除される可能性を、より低減できる。
また、係合部４３２が一対の係合受け部４８間から抜け出る際に、一対の係合受け部４８はバネ部４７の復元力によって互いに接近移動しようとする。このとき、係合部４３２の幅寸法が先端４３２Ｂから基端４３２Ｃに向かうにつれて漸次小さくなるように形成されているので、一対の係合受け部４８は、両先端４８１が係合部４３２の両側縁に沿って摺動しながら互いに徐々に接近移動する。このため、一対の係合受け部４８がバネ部４７の弾性力によって急に接近移動して発音することを抑制し、また、係合解除のときにストッパー受け部材４５に不要な振動を生じさせることがない。
係合解除されると、障子２０は、規制装置４０に規制されることなく、風Ｗ２を受けて閉鎖移動し、全閉位置に配置される。これにより、横軸回転窓２の開口は完全に閉鎖される。
【００４１】
［復帰時の動作］
図９に示す係合解除状態で、風Ｗ２が次第に弱まり、障子２０の自重に基づく開放移動力が風Ｗ２に基づく閉鎖移動力を上回ると、障子２０は開放移動する。この開放移動により、ストッパー受け部材４５は、図１０に示すように第二回転位置にあるストッパー部材４２に接近し、係合受け部４８が誘込み面４３２Ａに当接する。このとき、誘込み面４３２Ａは、障子２０の開放移動に基づくストッパー受け部材４５の係合受け部４８の移動方向に対して傾斜した状態であるため、障子２０のさらなる開放移動によって係合受け部４８に対して摺動しながらストッパー部材４２をＲ２方向に回転案内する。
障子２０の開放移動において誘込み面４３２Ａが係合受け部４８から外れた際には、係合部４３２の先端４３２Ｂは係合受け部４８よりも若干上方に位置する。そして、ストッパー部材４２は風Ｗ２に基づきＲ１方向に回転し、係合部４３２は一対の板バネ４７１間に室外側から挿入されて係合受け部４８に再び係合する。このように係合部４３２と係合受け部４８との係合状態が復帰される。
【００４２】
［第１実施形態の動作２］
以下、給気タイプとして構成した第１実施形態に係る連窓１の動作について説明する。
【００４３】
［正圧時の動作］
先ず、無風時には、障子２０は障子角度４５°となる図１２に示す全開位置（静止位置）で静止し、横軸回転窓２は全開状態となる。そして、室外側から室内側に向かって図１３に示す風Ｗ１が吹いた場合、風上側に位置する障子２０の軸支位置１１よりも下側の部分に室外側から室内側に向かう正圧が加わる。
このとき、ストッパー部材４２の補助翼４４にも室外側から室内側へ向かう風（正圧）があたり、ストッパー受け部材４５と係合不能な図１２に示す第一回転位置から係合可能な図１３に示す第二回転位置に向かうＲ３方向の回転力が、ストッパー部材４２に加わる。ストッパー部材４２は、風速１〜２ｍ／Ｓの微風で第一回転位置から第二回転位置までＲ３方向に回転し、係合部４３２が室外側から一対の板バネ４７１間に挿入される。第二回転位置では、ストッパー部材７２は、規制当接部４１３Ａに当接し、Ｒ３方向の回転が規制される。
なお、障子２０は、風Ｗ１が微風である場合には、当該風Ｗ１に基づく閉鎖移動力よりも自重に基づく開放移動力が上回っており、障子２０は閉鎖移動しない。
【００４４】
風Ｗ１が前述した微風から風速２ｍ／Ｓ超の弱風まで高くなると、障子２０は下半分が室内側に向かって押され、閉鎖方向に回転（閉鎖移動）する。この閉鎖移動によって障子角度が４０°まで小さくなると、図１４に示すように、係合受け部４８に係合部４３２が係合する。これにより、規制装置４０によって障子２０の閉鎖移動を規制した状態となり、障子２０の開放状態を風速１０ｍ／Ｓ超の強風となるまで維持する。
ここで、図１４に示す係合状態では、ストッパー受け部材４５のバネ部４７は、鉛直方向に沿って延びた状態となる。また、係合位置５４は、ストッパー部材４２の回転軸心５１を通る仮想直線５２上に位置する。さらに、仮想直線５２は仮想直線５３に直交している。このため、仮想直線５２は、仮想直線５３と障子２０の回転軌跡とが交わる点を接点とした接線２９に対して平行に配置される。
【００４５】
風Ｗ１が前述した弱風から風速１０ｍ／Ｓ以下の中風まで高まるに連れ、障子２０に加わる閉鎖移動力は大きくなり、係合部４３２および係合受け部４８間の鉛直方向における引張力も大きくなる。この引張力によって、一対の板バネ４７１はストッパー部材４２の回転軸心５１と平行な方向において互いに離間する方向に弾性変形される。一対の板バネ４７１は、前述した引張力が大きくなるに連れて大きく弾性変形するが、風Ｗ１が中風以下では係合部４３２と係合受け部４８との係合状態は維持される。
【００４６】
風Ｗ１が前述した中風から風速１０ｍ／Ｓ超の強風まで高くなると、障子２０に加わる閉鎖移動力はさらに大きくなり、係合部４３２および係合受け部４８間の引張力もさらに大きくなる。この大きな引張力によって、一対の板バネ４７１は弾性変形によってさらに互いに離間し、一対の係合受け部４８が開かれることで、係合部４３２は係合受け部４８から抜け出して当該係合部４３２と係合受け部４８との係合状態は図１５に示すように前述同様に解除される。係合解除されると、障子２０は、規制装置４０に規制されることなく、風Ｗ１を受けて閉鎖移動し、図１１に示す全閉位置に配置される。これにより、横軸回転窓２の開口は完全に閉鎖される。
【００４７】
［負圧時の動作］
横軸回転窓２の障子２０が全開状態の静止位置にあるときに、室内側から室外側に向かって図１２に示す風Ｗ２が吹いた場合、風上側に位置する障子２０の軸支位置１１よりも上側の部分に室内側から室外側に向かう負圧が加わる。このため、障子２０は上半分が室外側に向かって押され、閉鎖方向に回転（閉鎖移動）する。
このとき、ストッパー部材４２の補助翼４４にも室内側から室外側へ向かう風（負圧）があたるが、ストッパー部材４２がストッパー受け部材４５から離間するＲ４方向の回転力が加わるだけであって、係合部４３２が係合受け部４８と係合することがない。
このため、障子２０は上半分が室外側に向かって押され、規制装置４０によって規制されることなく閉鎖移動する。この障子２０に加わる負圧は、風速が高くなるほど大きくなるため、風速が次第に高くなると、障子２０の開放角度は次第に小さくなり、障子２０は図１１に示すように完全に閉鎖する。
【００４８】
［復帰時の動作］
図１５に示す係合解除状態で、風Ｗ１が次第に弱まり、障子２０の自重に基づく開放移動力が風Ｗ１に基づく閉鎖移動力を上回ると、障子２０は開放移動する。この開放移動により、ストッパー受け部材４５は、図１６に示すように第二回転位置にあるストッパー部材４２に接近し、係合受け部４８が誘込み面４３２Ａに当接する。このとき、誘込み面４３２Ａは、障子２０の開放移動に基づくストッパー受け部材４５の係合受け部４８の移動方向に対して傾斜した状態であるため、障子２０のさらなる開放移動によって係合受け部４８に対して摺動しながらストッパー部材４２をＲ４方向に回転案内する。
障子２０の開放移動において誘込み面４３２Ａが係合受け部４８から外れた際には、係合部４３２の先端４３２Ｂは係合受け部４８よりも若干上方に位置する。そして、ストッパー部材４２は風Ｗ１に基づきＲ３方向に回転し、係合部４３２は一対の板バネ４７１間に室内側から挿入されて係合受け部４８に再び係合する。このように係合部４３２と係合受け部４８との係合状態が復帰される。
【００４９】
［第１実施形態の効果］
（１）ストッパー部材４２は、障子２０ではなく、縦枠３，４に枠ブラケット４１を介して回転可能に取り付けられるため、ストッパー部材４２の位置が障子角度に依存して変化することがなくなる。つまり、障子２０が開放移動や閉鎖移動しても、ストッパー部材４２の回転軸心５１が障子２０の軸支位置１１の周りで変位することがなくなる。このため、補助翼４４が、障子２０の回転に基づいて上下方向に変位したり、室内側や室外側に変位することがなく、予め設定した特定位置において風Ｗ１，Ｗ２を受けることができる。また、障子２０の回転によって係合部４３２および係合受け部４８間に引張力が加わる方向が大きく変化することがなくなる。これにより、風受け部の位置や係合部４３２および係合受け部４８の係合および解除などの動作を安定させることができる。
（２）ストッパー受け部材４５は、障子２０に固定される固定部４６と、ストッパー部材が係合する一対の係合受け部４８と、一対の係合受け部４８とストッパー部材４２との係合を解除可能に弾性変形する一対の板バネ４７１とを有して構成され、固定部４６は一対の板バネ４７１に連続し、一対の係合受け部４８は、一対の板バネ４７１のそれぞれの先端部に形成され、ストッパー部材４２は、一対の係合受け部４８間に挿入可能に配置され、一対の板バネ４７１は、ストッパー部材４２の回転方向と異なる方向（本実施形態では回転軸心５１と平行な方向）において互いに対向して配置され、かつ、当該方向に弾性変形可能に形成される。このため、障子２０の閉鎖移動に基づいてストッパー部材４２とストッパー受け部材４５との係合が解除される際には、ストッパー部材４２が一対の係合受け部４８間から抜け出されようとする。このとき、一対の板バネ４７１は、ストッパー部材４２によって押し広げられながら弾性変形するが、この弾性変形する方向はストッパー部材４２の回転方向とは異なる方向であるので、慣性力が働く方向はストッパー部材４２とストッパー受け部材４５との係合位置５４からストッパー部材４２の回転軸心５１に向かう方向（仮想直線５２が延びる方向と同方向）となり、ストッパー部材４２の回転方向には慣性力が働かない。このため、ストッパー部材４２とストッパー受け部材４５との係合解除時に、前述した慣性力によってストッパー部材４２がその回転方向にバタつくことを抑制できる。
（３）固定部４６、バネ部４７および係合受け部４８が一体的に形成されてストッパー受け部材４５を構成するため、係合部４３２および係合受け部４８の係合を解除可能に弾性変形する弾性部材などをストッパー受け部材４５とは別に設ける必要をなくすことができる。これにより、規制装置４０の構成を簡略化でき、部品点数を減らして製造コストを削減できる。
また、バネ部４７の弾性変形によって係合受け部４８の移動が可能となるため、係合受け部４８を移動させるためにストッパー受け部材４５に回転等する可動機構を設ける必要がなくなる。この点からも、規制装置４０の構成を簡略化でき、製造コストを削減できる。
（４）ストッパー部材４２の係合部４３２は、一対の板バネ４７１のそれぞれの先端部に形成される一対の係合受け部４８間に挿入可能に配置されるため、障子２０の閉鎖移動力に基づいて弾性変形される一対の板バネ４７１の双方の反力が係合部４３２に加えられる。このため、ストッパー部材４２がその回転軸心５１の軸方向の一方だけに押し付けられることがなく、ストッパー部材４２の回転ガタが大きくなる等の部品劣化を低減できる。
（５）係合部４３２および係合受け部４８の係合位置５４とストッパー部材４２の回転軸心５１とを結ぶ仮想直線５２は、回転軸心５１に直交する面内において係合位置５４および障子２０の軸支位置１１を結ぶ仮想直線５３に直交している。このため、ストッパー部材４２およびストッパー受け部材４５間の引張力が働く方向と障子２０の回転軌跡に対する接線２９とを平行にでき、障子２０の閉鎖移動力を規制装置４０に効率よく伝達できる。
また、障子２０に閉鎖移動力が加わっても、ストッパー部材４２に回転モーメントは生じないので、ストッパー部材４２の回転によってストッパー受け部材４５から外れるおそれをなくすことができ、係合状態を安定して維持できる。
（６）一対の係合受け部４８の先端４８１は、各係合受け部４８の幅方向における両端よりも中央部分が窪んで形成されている。このため、ストッパー部材４２とストッパー受け部材４５との係合が解除される際に、係合部４３２の先端４３２Ｂが一対の係合受け部４８間から抜け出て当該一対の係合受け部４８の先端４８１にそれぞれ当接すると、ストッパー部材４２は一対の板バネ４７１の弾性力に基づいて一対の係合受け部４８の先端４８１に沿って当該係合受け部４８の幅方向に摺動され、一対の係合受け部４８の先端４８１の幅方向における中央部分に配置される。このように、係合部４３２と一対の係合受け部４８との係合位置を、各係合受け部４８の幅方向における中央部分に補正でき、係合解除動作を安定させることができる。
（７）ストッパー部材４２は、一対の係合受け部４８に当接する係合部４３２を有し、一対の係合受け部４８が対向する方向における係合部４３２の幅寸法は、係合部４３２の先端４３２Ｂから基端４３２Ｃに向かうに連れて漸次小さくなるように形成されている。このため、係合部４３２が一対の係合受け部４８間から抜け出る際に、一対の係合受け部４８は一対の板バネ４７１の復元力によって互いに接近移動しようとする。このとき、一対の係合受け部４８の両先端４８１が係合部４３２の両側縁に沿って摺動しながら互いに徐々に接近移動する。このため、一対の係合受け部４８が一対の板バネ４７１の弾性力によって急に接近移動して発音することをなくし得、また、係合部４３２と係合受け部４８との係合解除のときにストッパー受け部材４５に不要な振動を生じさせることがなくなるので、ストッパー受け部材４５の長期利用が可能となる。
（８）ストッパー部材４２には、ストッパー受け部材４５が障子２０の開放移動に基づいて当該誘込み面４３２Ａに接近する場合に、ストッパー受け部材４５に当接してストッパー部材４２を第二回転位置から第一回転位置に向かってＲ２方向（Ｒ４方向）に案内可能に構成される誘込み面４３２Ａが形成されている。このため、障子２０が強風を受けて大きな閉鎖移動力を生じ、係合部４３２と係合受け部４８との係合状態が解除された場合であっても、風が弱まって障子２０が再び開放移動した際にストッパー部材４２を誘込み面４３２Ａによって第二回転位置から第一回転位置に向かって案内することで、障子２０のさらなる開放移動時に前述した係合状態を復帰できる。このように係合状態の解除から再び係合状態の復帰までの動作を自動化できる。
（９）枠ブラケット４１は、ストッパー部材４２が第二回転位置にある状態で、Ｒ１方向（Ｒ３方向）におけるストッパー部材４２の回転を規制する規制当接部４１３Ａを有している。このため、規制当接部４１３Ａがストッパー部材４２に当接することによって、第二回転位置よりもＲ１方向（Ｒ３方向）側の領域でのストッパー部材４２の過剰な回転を抑制できる。
（１０）ストッパー部材４２は、縦枠３，４の見込み方向において正向きまたは逆向きに取付可能に構成されている。このため、ストッパー部材４２の取付向きを任意の向きに設定することで、補助翼４４が室内側から室外側へ向かう風Ｗ２を受けてストッパー部材４２がＲ１方向に回転することで、障子２０の閉鎖移動を規制する排気タイプの横軸回転窓２を構成でき、また、補助翼４４が室外側から室内側へ向かう風Ｗ１を受けてストッパー部材４２がＲ３方向に回転することで、障子２０の閉鎖移動を規制する給気タイプの横軸回転窓２を構成できる。これにより、排気タイプの横軸回転窓２と給気タイプの横軸回転窓２との間で規制装置４０の各構成部材を共通化できる。
さらに、係合位置５４とストッパー部材の回転軸心５１とが仮想直線５２上に位置するため、ストッパー部材４２の取付向きを正向きおよび逆向きのいずれにしても、回転軸４９の位置を調整する必要がない。
【００５０】
［第１実施形態の変形例］
本発明は、以上の第１実施形態で説明した構成のものに限定されず、本発明の目的を達成できる範囲での変形例は、本発明に含まれる。
例えば、第１実施形態では、ストッパー受け部材４５のバネ部４７の弾性力を調整する構成を備えていないが、例えば、図１７に示すように、バネ部４７の弾性力を調整する弾性調整具６１を備えていてもよい。
【００５１】
弾性調整具６１は、バネ部４７に装着されて弾性変形領域を調整するものである。弾性調整具６１は、断面矩形状に形成されており、一対の板バネ４７１が挿通されている。弾性調整具６１は、一対の板バネ４７１が挿通されることで、一対の板バネ４７１を連結する。また、弾性調整具６１は、一対の板バネ４７１に沿って位置調整可能に構成されており、この位置調整によって一対の板バネ４７１の弾性変形領域を増減し、バネ部４７の弾性力の強弱を調整可能となっている。また、弾性調整具６１を板バネ４７１に対して位置決めする固定ネジ等の位置固定具６２が当該弾性調整具６１に操作可能に設けられている。
このため、弾性調整具６１の着脱や装着位置の調整によって、障子２０の閉鎖移動力に対応してバネ部４７の弾性力を適宜調整できる。さらに、弾性調整具６１が一対の板バネ４７１を連結しているので、一つの弾性調整具６１によって一対の板バネ４７１の弾性力を同様に簡単に調整でき、各板バネ４７１の弾性力のバラつきをなくし得る。
なお、前述した弾性調整具６１は、一対の板バネ４７１を連結可能に構成されているが、これに限らず、例えば、一対の板バネ４７１を連結するものではなく、各板バネ４７１にそれぞれ着脱、位置調整可能な板状の弾性調整具を備えていてもよい。
【００５２】
第１実施形態では、バネ部４７は、ストッパー部材４２の回転軸心５１と平行な方向において弾性変形可能に構成されているが、これに限定されず、例えば、ストッパー部材４２の回転方向と異なる方向（回転軸心５１に直交する仮想面に対して交差する方向）において弾性変形可能に構成されていてもよく、回転軸心５１に直交する仮想面に対する交差角は、例えば３０°、４５°、６０°などでもよい。
また、バネ部４７は、回転軸心５１に直交する方向において弾性変形可能に構成されていてもよい。
【００５３】
第１実施形態では、係合部４３２および係合受け部４８の係合位置５４とストッパー部材４２の回転軸心５１とを結ぶ仮想直線５２は、回転軸心５１に直交する面内において係合位置５４および障子２０の軸支位置１１を結ぶ仮想直線５３に直交しているが、これに限定されない。例えば、仮想直線５２は仮想直線５３に対する交差角が鋭角であっても、鈍角であってもよい。また、係合状態において仮想直線５２は鉛直方向に沿って延びるが、これに限らず、鉛直方向に対して傾斜してもよい。
【００５４】
排気タイプの横軸回転窓２では、係合部４３２および係合受け部４８の係合位置５４が、ストッパー部材４２の回転軸心５１よりも室外側寄りに設定されていてもよい。この場合には、係合部４３２および係合受け部４８間の引張力に基づいてストッパー部材４２にＲ１方向の回転モーメントが生じる。このため、係合状態では、ストッパー部材４２にＲ２方向の回転が生じ難くなり、係合部４３２と係合受け部４８との係合状態をより確実に維持できる。
【００５５】
逆に、給気タイプの横軸回転窓２では、係合部４３２および係合受け部４８の係合位置５４が、ストッパー部材４２の回転軸心５１よりも室内側寄りに設定されていてもよい。この場合には、係合部４３２および係合受け部４８間の引張力に基づいてストッパー部材４２にＲ３方向の回転モーメントが生じる。このため、係合状態では、ストッパー部材４２にＲ４方向の回転が生じ難くなり、係合部４３２と係合受け部４８との係合状態をより確実に維持できる。
【００５６】
第１実施形態では、ストッパー受け部材４５が障子２０に対して予め設定した固定位置に固定されているが、この固定位置よりも障子２０の軸支位置１１に接近してストッパー受け部材４５を配置した場合には、係合部４３２と係合受け部４８との係合状態を維持するためにバネ部４７に大きな弾性力が必要とされるが、ストッパー受け部材４５や枠ブラケット４１などの各寸法を小さくでき、規制装置４０を小型化可能である。
逆に、予め設定した固定位置よりも軸支位置１１から離間してストッパー受け部材４５を配置した場合には、係合部４３２と係合受け部４８との係合状態を維持するために必要とされるバネ部４７の弾性力を小さくできるが、ストッパー受け部材４５や枠ブラケット４１などの各寸法が大きくなり、規制装置４０が大型化する。
ストッパー受け部材４５の固定位置は、前述した各条件を考慮して適切な位置に設定可能である。
【００５７】
第１実施形態では、ストッパー部材４２は、第二回転位置にある状態で、障子２０の開放移動に基づくストッパー受け部材４５の移動方向に対して傾斜して配置される誘込み面４３２Ａを有しているが、この構成を省略してもよい。
【００５８】
第１実施形態では、枠ブラケット４１は、ストッパー部材４２が第二回転位置にある状態で、第一回転位置から第二回転位置に向かう方向のストッパー部材４２の回転を規制する規制当接部４１３Ａを有しているが、この構成を省略してもよい。
【００５９】
第１実施形態では、規制装置４０は、ストッパー部材４２を縦枠３，４の見込み方向において逆向きに取付可能に構成されているが、横軸回転窓２を排気タイプ専用または給気タイプ専用として設計する場合には、ストッパー部材４２を逆向きに取り付けられる構成とされなくてもよい。
【００６０】
［第２実施形態］
以下、本発明の第２実施形態を図面に基づいて説明する。
図１８〜２３において、第２実施形態に係る連窓１Ａは、前述した各規制装置４０の構成とは異なる各規制装置７０を備える点で第１実施形態に係る連窓１と相違し、各規制装置７０を除く構成で第１実施形態に係る連窓１と同じである。各規制装置７０は同様に構成されているので、以下、縦枠３、縦框２１に取り付けられた規制装置７０について説明し、他の規制装置７０についての説明を省略する。なお、説明の便宜上、図１８〜２３において、ヒンジカバー１３、水密部材１４などの図示は省略している。
【００６１】
規制装置７０は、図１８に示すように、軸支部材である枠ブラケット７１と、ストッパー部材７２と、ストッパー受け部材７５と、バネ部材８０とを備えて構成されている。
【００６２】
枠ブラケット７１は、図１９に示すように、断面略コ字状の溝形成部７１１と、溝形成部７１１の一方の縁部に連続した取付片部７１２とを有して構成されている。
溝形成部７１１は、一対の軸支片部７１３と、連結片部７１４とを有して構成されている。一対の軸支片部７１３には、回転軸７９、ガイドピン８１、規制当接部である規制ピン８２が設けられている。回転軸７９にはストッパー部材７２が装着されている。ガイドピン８１は、ストッパー受け部材７５を室内側および室外側に案内可能な位置に配置されている。規制ピン８２は、ストッパー受け部材７５と係合可能な第二回転位置（図１８に二点鎖線で示すストッパー部材７２の位置）に配置されたストッパー部材７２に当接可能な位置に配置されている。規制ピン８２は、ストッパー部材７２に当接することで、ストッパー部材７２が第二回転位置から図１８に示すＲ５方向にさらに回転することを規制可能に構成されている。
【００６３】
ストッパー部材７２は、ストッパー本体７３と、風受け部である補助翼７４とを備えて構成されている。
ストッパー本体７３は、係合片部７３１と、被軸支部７３４とを有して構成されている。係合片部７３１は、その上下端部間が弓なりに湾曲して形成されており、上端部でストッパー受け部材７５と係合可能であり、下端部に補助翼７４がビス止めされている。被軸支部７３４は、回転軸７９に回転自在に軸支されている。
【００６４】
図１８に示すように、無風時には、ストッパー部材７２は、ストッパー受け部材４５と係合不能な第一回転位置（静止位置）に配置され、静止する。第一回転位置は、図１８において実線で示すストッパー部材７２の位置である。第一回転位置では、ストッパー部材７２の重心は、当該ストッパー部材７２の回転軸心９１に対して真下に位置する。この状態では、補助翼７４は鉛直方向に沿って配置され、係合片部７３１は、ストッパー受け部材７５の後述する係合受け部７８から下方に外れた位置に配置される。
【００６５】
ストッパー受け部材７５は、棒状に形成されており、基端部７６（一端部）が障子２０の縦框２１に固定された断面略コ字状の框ブラケット８３に回転軸を介して回転自在に取り付けられており、先端部７７（他端部）側でガイドピン８１に支えられている。また、ストッパー受け部材７５は、その両端部７６，７７間の下面を窪ませて形成された係合受け部７８を有している。なお、ストッパー受け部材７５の回転軸心８４は、障子２０の軸支位置１１から室内側に斜め下方に離れた位置に配置されている。
【００６６】
バネ部材８０は、断面略Ｌ字状の板バネによって形成されており、枠ブラケット７１に固定されている。バネ部材８０は、ストッパー受け部材７５の上方であって係合受け部７８よりも室内側に配置されている。
【００６７】
前述した規制装置７０では、ストッパー部材７２は、補助翼７４が室内側から室外側へ向かう風を受けて第一回転位置から第二回転位置へ回転可能に正向きに設けられている。このように構成された規制装置７０を備える横軸回転窓２は、障子２０が室内側から室外側へ向かう風を受けた際に当該障子２０の開放状態を維持する排気タイプとして構成される。
ここで、規制装置７０では、図２２に示すように、ストッパー部材７２を窓枠１０の見込み方向において逆向きに枠ブラケット７１に回転軸７９を介して取付可能である。このようにストッパー部材７２を逆向きに取り付けた場合には、ストッパー部材７２は、補助翼７４が室外側から室内側へ向かう風を受けてストッパー受け部材７５と係合不能な第一回転位置からストッパー受け部材７５と係合可能な第二回転位置へ回転可能に設けられている。このように構成された規制装置７０を備える横軸回転窓２は、障子２０が室外側から室内側へ向かう風を受けた際に当該障子２０の開放状態を維持する給気タイプとして構成される。
【００６８】
［第２実施形態の動作１］
以下、排気タイプとして構成した第２実施形態に係る連窓１Ａの動作について説明する。
【００６９】
［正圧時の動作］
先ず、無風時には、障子２０は図１８に示す全開位置で静止する。そして、室外側から室内側に向かって風が吹いた場合、風上側に位置する障子２０の軸支位置１１よりも下側の部分に室外側から室内側に向かう正圧が加わる。このため、障子２０は下半分が室内側に向かって押され、閉鎖方向に回転（閉鎖移動）する。
このとき、補助翼７４にも室外側から室内側へ向かう風（正圧）があたるが、係合片部７３１の上端部が係合受け部７８から離間する図１８に示すＲ６方向の回転力が加わるだけであって、係合片部７３１が係合受け部７８と係合することがない。
このため、障子２０は下半分が室内側に向かって押され、規制装置７０によって規制されることなく閉鎖移動する。この障子２０に加わる正圧は、風速が高くなるほど大きくなるため、風速が次第に高くなると、障子２０の開放角度は次第に小さくなり、障子２０は図２１に示す全閉位置に配置され、横軸回転窓２は完全に閉鎖する。
【００７０】
［負圧時の動作］
障子２０が全開位置にあるときに、室内側から室外側に向かって図１８に示す風Ｗ２が吹いた場合、風上側に位置する障子２０の軸支位置１１よりも上側の部分に室内側から室外側に向かう負圧が加わる。このため、障子２０は上半分が室外側に向かって押され、閉鎖方向に回転（閉鎖移動）する。
このとき、補助翼７４にも室内側から室外側へ向かう風（負圧）があたり、ストッパー部材７２にＲ５方向の回転力が加わる。ストッパー部材７２は、風速１〜２ｍ／Ｓの微風で第一回転位置から第二回転位置までＲ５方向に回転し、係合片部７３１の上端部が係合受け部７８に挿入される。第二回転位置では、ストッパー部材７２は、規制ピン８２に当接し、Ｒ５方向の回転が規制される。
なお、障子２０は、風Ｗ２が微風である場合には、当該風Ｗ２に基づく閉鎖移動力よりも自重に基づく開放移動力が上回っており、障子２０は閉鎖移動しない。
【００７１】
風Ｗ２が前述した微風から風速２ｍ／Ｓ超の弱風まで高くなると、障子２０は上半分が室外側に向かって押され、閉鎖移動する。この閉鎖移動によって障子角度が若干小さくなると、係合受け部７８に係合片部７３１の上端部が係合する。
この係合状態では、ストッパー受け部材７５は、係合受け部７８よりも先端部７７側でバネ部材８０に当接しており、障子２０の閉鎖移動力を受けることで、基端部７６が下方に移動しようとし、先端部７７が上方に移動しようとする。バネ部材８０は、先端部７７の上方への移動力によって押し付けられるが、弾性力によって先端部７７の移動を規制している。これにより、障子２０の閉鎖移動を規制し、障子２０の開放状態を維持する。
【００７２】
風Ｗ２が前述した弱風から風速１０ｍ／Ｓ以下の中風まで高まるに連れ、障子２０に加わる閉鎖移動力は大きくなり、ストッパー受け部材７５からバネ部材８０に加えられる押付力も大きくなる。この押付力によって、バネ部材８０は上方に弾性変形される。バネ部材８０は、前述した押付力が大きくなるに連れて大きく弾性変形するが、風Ｗ２が中風以下では係合部４３２と係合受け部４８との係合状態は維持される。
【００７３】
風Ｗ２が前述した中風から風速１０ｍ／Ｓ超の強風まで高くなると、障子２０に加わる閉鎖移動力はさらに大きくなり、ストッパー受け部材７５からバネ部材８０に加えられる押付力も大きくなる。この大きな押付力によって、バネ部材８０が上方にさらに弾性変形すると、ストッパー受け部材７５が上方に回転し、係合受け部７８も上方に移動して係合片部７３１との係合が解除される。係合解除されると、障子２０は、図２０に示すように風Ｗ２を受けて閉鎖移動し、ストッパー受け部材７５はガイドピン８１に案内されながら室内側にスライド移動し、係合受け部７８は係合片部７３１の上端部よりも室内側に位置する。そして、障子２０は、図２１に示す全閉位置に配置され、横軸回転窓２の開口は完全に閉鎖される。
【００７４】
［復帰時の動作］
図２１に示す全閉状態で、風Ｗ２が次第に弱まり、障子２０の自重に基づく開放移動力が風Ｗ２に基づく閉鎖移動力を上回ると、障子２０は開放移動する。この開放移動により、ストッパー受け部材７５は、ガイドピン８１に案内されながら室外側にスライド移動し、係合受け部７８は係合片部７３１の上端部よりも室外側に位置して、ストッパー部材４２およびストッパー受け部材７５が再び係合可能な状態に復帰する。
【００７５】
［第２実施形態の動作２］
以下、給気タイプとして構成した第２実施形態に係る連窓１Ａの動作について説明する。
【００７６】
［正圧時の動作］
先ず、無風時には、障子２０は図２２に示す全開位置で静止する。そして、室外側から室内側に向かって図２２に示す風Ｗ１（微風〜弱風）が吹いた場合、風上側に位置する障子２０の軸支位置１１よりも下側の部分に室外側から室内側に向かう正圧が加わる。
このとき、補助翼７４にも室外側から室内側へ向かう風（正圧）があたり、図２２において実線で示すストッパー部材７２の位置（第一回転位置）から図２２において二点鎖線で示すストッパー部材７２の位置（第二回転位置）に向かうＲ７方向の回転力が、ストッパー部材７２に加わり、第二回転位置に配置される。
ここで、ストッパー部材７２が第一回転位置にある場合には、係合片部７３１は斜め横に寝た状態であり、係合受け部７８から下方に押し付けられると、Ｒ８方向の回転を生じるだけであり、障子２０の閉鎖移動を規制しない。この状態を係合解除状態とする。
また、ストッパー部材７２が第二回転位置にある場合には、係合片部７３１は立上げられた状態となり、被軸支部７３４が規制ピン８２に当接してＲ７方向の回転が規制される。このとき、ストッパー部材７２は、係合受け部７８から下方に押し付けられても、Ｒ７方向の回転力を生じるだけであり、Ｒ７方向の回転は、規制ピン８２によって規制されるので、障子２０の閉鎖移動を規制する。この状態を係合状態とする。
前述したようにストッパー部材７２が第二回転位置に配置されることでストッパー部材７２とストッパー受け部材７５とは係合状態となり、係合受け部７８は係合片部７３１に支えられ、障子２０の閉鎖移動力に基づく先端部７７の上方への移動がバネ部材８０によって弾性的に規制される。これにより、障子２０の閉鎖移動は規制され、開放状態が維持される。
【００７７】
風Ｗ１が風速１０ｍ／Ｓ以下の中風まで高まるに連れ、障子２０に加わる閉鎖移動力は大きくなり、ストッパー受け部材７５からバネ部材８０に加えられる押付力も大きくなる。この押付力によって、バネ部材８０は上方に弾性変形される。バネ部材８０は、前述した押付力が大きくなるに連れて大きく弾性変形するが、風Ｗ１が中風以下では係合部４３２と係合受け部４８との係合状態は維持される。
【００７８】
風Ｗ１が前述した中風から風速１０ｍ／Ｓ超の強風まで高くなると、障子２０に加わる閉鎖移動力はさらに大きくなり、ストッパー受け部材７５からバネ部材８０に加えられる押付力も大きくなる。この大きな押付力によって、バネ部材８０が上方にさらに弾性変形すると、ストッパー受け部材７５が上方に回転し、係合受け部７８も上方に移動して係合片部７３１との係合が解除される。係合解除されると、障子２０は、風Ｗ１を受けて閉鎖移動し、ストッパー受け部材７５はガイドピン８１に案内されながら室内側にスライド移動し、係合受け部７８は係合片部７３１の上端部よりも室内側に位置する。そして、障子２０は、図２３に示す全閉位置に配置され、横軸回転窓２の開口は完全に閉鎖される。
なお、全閉状態では、補助翼４４は風Ｗ１を受けないので、Ｒ８方向に回転して第一回転位置に配置される。
【００７９】
［負圧時の動作］
障子２０が全開位置にあるときに、室内側から室外側に向かって風が吹いた場合、風上側に位置する障子２０の軸支位置１１よりも上側の部分に室内側から室外側に向かう負圧が加わる。このため、障子２０は上半分が室外側に向かって押され、閉鎖方向に回転（閉鎖移動）する。
このとき、補助翼７４にも室内側から室外側へ向かう風（負圧）があたるが、ストッパー部材７２にはＲ８方向の回転力が加わるだけであって、係合片部７３１と係合受け部７８とは係合状態とならない。
このため、障子２０は上半分が室外側に向かって押され、規制装置７０によって規制されることなく閉鎖移動する。この障子２０に加わる負圧は、風速が高くなるほど大きくなるため、風速が次第に高くなると、障子２０の開放角度は次第に小さくなり、障子２０は全閉位置に配置され、横軸回転窓２は完全に閉鎖する。
【００８０】
［復帰時の動作］
図２３に示す全閉状態で、風Ｗ１が次第に弱まり、障子２０の自重に基づく開放移動力が風Ｗ１に基づく閉鎖移動力を上回ると、障子２０は開放移動する。この開放移動により、ストッパー受け部材７５は、ガイドピン８１に案内されながら室外側にスライド移動し、係合受け部７８は係合片部７３１の上端部よりも室外側に位置して、ストッパー部材４２およびストッパー受け部材７５が再び係合可能な状態に復帰する。
【００８１】
［第２実施形態の効果］
（１）第２実施形態に係る連窓１Ａによれば、第１実施形態に係る連窓１と同様の作用効果を発揮できる。
（２）ストッパー受け部材７５は、枠ブラケット７１に回転可能に取り付けられるとともに、ストッパー部材７２が係合する係合受け部７８が形成され、枠ブラケット７１に取り付けられたバネ部材８０は、係合片部７３１および係合受け部７８の係合状態で、ストッパー受け部材７５の回転に基づいて当該ストッパー受け部材７５に当接して前述した係合状態を解除可能に弾性変形する構成とされる。このため、ストッパー部材７２が風を受けて係合受け部７８に係合した係合状態で、障子２０が風を受けて閉鎖移動すると、ストッパー受け部材７５は回転し、先端部７７でバネ部材８０を押し付ける。この押付力が大きくなるにつれ、バネ部材８０の弾性変形は大きくなり、ストッパー受け部材７５がさらに回転することで、前述した係合状態を解除できる。
また、係合状態において障子２０の閉鎖移動力が大きくなっても、ストッパー受け部材７５の先端部７７のバネ部材８０に対する押付力が大きくなるだけであって、係合片部７３１と係合受け部７８との係合部分の負担が大きくならず、係合状態を安定させることができる。
さらに、係合解除状態で、風が弱まって障子２０が開放移動した際には、ストッパー受け部材７５は元の係合可能な位置に戻り、ストッパー部材７２が風を受けて係合受け部７８に再び係合可能な状態に自動的に復帰できる。
【符号の説明】
【００８２】
１，１Ａ…連窓、２…横軸回転窓、３，４…縦枠、５…上枠、６…下枠、７…方立、８…戸当り部材、１０…窓枠、１１…軸支位置、１２…重心位置、１３…ヒンジカバー、１４…水密部材、１５…アングル、２０…障子、２１，２２…縦框、２３…上框、２４…下框、２５…ガラスパネル、２９…接線、３０…ヒンジ（回転軸）、３１…軸部材、３２…軸受部材、４０，７０…規制装置、４１，７１…枠ブラケット（軸支部材）、４１１，７１１…溝形成部、４１２，７１２…取付片部、４１３，７１３…軸支片部、４１３Ａ…規制当接部、４１４，７１４…連結片部、４２，７２…ストッパー部材、４３，７３…ストッパー本体、４３１…本体片部、４３２…係合部、４３２Ａ…誘込み面、４３２Ｂ，４８１…先端、４３２Ｃ…基端、４３３…連結部、４３４，７３４…被軸支部、４４，７４…補助翼（風受け部）、４５，７５…ストッパー受け部材、４６…固定部、４７…バネ部、４７１…板バネ、４８，７８…係合受け部、４９，７９…回転軸、５０…重心、５１，８４，９１…回転軸心、５２，５３…仮想直線、５４…係合位置、６１…弾性調整具、６２…位置固定具、７３１…係合片部、７６…基端部（一端部）、７７…先端部（他端部）、８０…バネ部材、８１…ガイドピン、８２…規制ピン（規制当接部）、８３…框ブラケット、Ｗ１，Ｗ２…風。
【図１】
0006424118.tif 000002
【図２】
0006424118.tif 000003
【図３】
0006424118.tif 000004
【図４】
0006424118.tif 000005
【図５】
0006424118.tif 000006
【図６】
0006424118.tif 000007
【図７】
0006424118.tif 000008
【図８】
0006424118.tif 000009
【図９】
0006424118.tif 000010
【図１０】
0006424118.tif 000011
【図１１】
0006424118.tif 000012
【図１２】
0006424118.tif 000013
【図１３】
0006424118.tif 000014
【図１４】
0006424118.tif 000015
【図１５】
0006424118.tif 000016
【図１６】
0006424118.tif 000017
【図１７】
0006424118.tif 000018
【図１８】
0006424118.tif 000019
【図１９】
0006424118.tif 000020
【図２０】
0006424118.tif 000021
【図２１】
0006424118.tif 000022
【図２２】
0006424118.tif 000023
【図２３】
0006424118.tif 000024